(57)【特許請求の範囲】
【請求項１】
電力管理の方法であって、
適応型電圧スケーリング（ＡＶＳ）コントローラを有する集積回路（ＩＣ）を提供することと、
第１の条件下では、前記ＡＶＳコントローラを使用して、前記ＩＣの一部分に供給される電圧を制御するために、前記ＩＣの少なくとも１つの感知された状態を示す信号を使用する第１のＡＶＳ動作を行うことと、
第２の条件下では、前記ＩＣの前記少なくとも１つの感知された状態を示す前記信号を使用することなく、前記ＩＣの前記一部分に供給される前記電圧を制御することと
を備える、方法。
【請求項２】
前記第１のＡＶＳ動作は、前記ＩＣの前記少なくとも１つの感知された状態を示す前記信号に基づいた、前記ＩＣの前記一部分に供給される前記電圧の動的な調節である、請求項１に記載の方法。
【請求項３】
前記ＩＣの前記少なくとも１つの感知された状態は、前記ＩＣの温度または前記ＩＣの環境の温度を備える、請求項１に記載の方法。
【請求項４】
前記ＩＣの前記少なくとも１つの感知された状態は、前記ＩＣの温度または周波数または電圧を備える、請求項１に記載の方法。
【請求項５】
前記第２の条件下で、前記ＡＶＳコントローラを使用して前記ＩＣの前記一部分に供給される前記電圧を制御するために第２のＡＶＳ動作を行うことを含む、請求項１に記載の方法。
【請求項６】
前記第２のＡＶＳ動作は、前記ＩＣの不揮発性メモリに記憶された値に基づいて、前記ＩＣの前記一部分についてベースライン動作電圧を設定することを備える、請求項５に記載の方法。
【請求項７】
前記第１のＡＶＳ動作は、前記ＩＣの前記少なくとも１つの感知された状態を示す前記信号に基づいた、前記ＩＣの前記一部分に供給される前記電圧の動的な調節を備え、第２のＡＶＳ動作は、前記ＩＣに記憶された値に基づいて、前記ＩＣの前記一部分についてのベースライン動作電圧を設定することを備える、請求項１に記載の方法。
【請求項８】
前記ＩＣに記憶された値に基づいて、前記ＩＣの前記一部分についてベースライン動作電圧を設定することを含み、ここにおいて、前記第１のＡＶＳ動作は、前記ＩＣの前記少なくとも１つの感知された状態を示す前記信号に基づいた、前記ベースライン動作電圧の動的な調節である、請求項１に記載の方法。
【請求項９】
前記第１の条件は前記ＩＣの動作状態を備える、請求項８に記載の方法。
【請求項１０】
前記第１の条件は、前記ＩＣが外部電源によって動力供給されることまたはかなりの残りのバッテリ寿命を有することのうちの１つまたは複数を備える、請求項８に記載の方法。
【請求項１１】
前記第２の条件は、前記ＩＣが高性能モードで動作することを備える、請求項８に記載の方法。
【請求項１２】
前記第２の条件は、前記ＩＣが電力節約モードで動作することまたは前記ＩＣがバッテリによって動力供給されていることのうちの１つまたは複数を備える、請求項８に記載の方法。
【請求項１３】
前記第２の条件は、前記ＩＣがブート動作を行うことを備える、請求項８に記載の方法。
【請求項１４】
前記第２の条件は、前記ＩＣのプロセッサが、前記プロセッサの最大容量の所与の割合よりも高い割合で動作することを備える、請求項１に記載の方法。
【請求項１５】
集積回路（ＩＣ）であって、
前記ＩＣの一部分に供給される電圧を制御するように構成された適応型電圧スケーリング（ＡＶＳ）コントローラと、
前記ＩＣの少なくとも１つの状態を感知し、前記少なくとも１つの感知された状態を示す出力信号を前記ＡＶＳコントローラに供給するように構成された少なくとも１つのセンサと
を備え、
ここにおいて、前記ＡＶＳコントローラは、前記ＡＶＳコントローラが前記電圧を制御するために前記出力信号を使用するように構成された第１のセッティング、および前記ＡＶＳコントローラが前記出力信号を使用することなく前記電圧を制御するように構成された第２のセッティングで動作するようにさらに構成される、ＩＣ。
【請求項１６】
前記第２のセッティングでは、前記ＡＶＳコントローラは、前記ＩＣの不揮発性メモリに記憶された値に基づいて前記電圧を制御するように構成される、請求項１５に記載のＩＣ。
【請求項１７】
前記ＩＣの前記少なくとも１つの状態は、前記ＩＣの温度または前記ＩＣの環境の温度である、請求項１５に記載のＩＣ。
【請求項１８】
前記ＩＣの前記少なくとも１つの状態は、前記ＩＣの温度または周波数または電圧である、請求項１５に記載のＩＣ。
【請求項１９】
前記ＡＶＳコントローラは、第１の条件下では前記第１のセッティングを選択し、第２の条件下では前記第２のセッティングを選択するように構成される、請求項１５に記載のＩＣ。
【請求項２０】
前記第１の条件は前記ＩＣの動作状態を備える、請求項１９に記載のＩＣ。
【請求項２１】
前記第１の条件は、前記ＩＣが外部電源によって動力供給されることまたはかなりの残りのバッテリ寿命を有することのうちの１つまたは複数を備える、請求項１９に記載のＩＣ。
【請求項２２】
前記第２の条件は、前記ＩＣが高性能モードで動作することを備える、請求項１９に記載のＩＣ。
【請求項２３】
前記第２の条件は、前記ＩＣが電力節約モードで動作することまたは前記ＩＣがバッテリによって動力供給されていることのうちの１つまたは複数を備える、請求項１９に記載のＩＣ。
【請求項２４】
前記第２の条件は、前記ＩＣがブート動作を行うことを備える、請求項１９に記載のＩＣ。
【請求項２５】
前記第２の条件は、前記ＩＣのプロセッサが、前記プロセッサの最大容量の所与の割合よりも高い割合で動作することを備える、請求項１９に記載のＩＣ。
【請求項２６】
少なくとも１つの半導体ダイに一体化された、請求項１５記載のＩＣ。
【請求項２７】
請求項１５に記載の集積回路を含む、セットトップボックス、ミュージックプレーヤ、ビデオプレーヤ、エンターテイメントユニット、ナビゲーションデバイス、通信デバイス、携帯情報端末（ＰＤＡ）、固定ロケーションデータユニット、およびコンピュータからなるグループから選択されたデバイス。
【請求項２８】
方法であって、
公称動作電圧と、集積回路（ＩＣ）の一部分に供給される電圧を制御するように構成された適応型電圧スケーリング（ＡＶＳ）コントローラとを有する前記ＩＣを提供することと、
前記ＩＣについて、前記公称動作電圧とは異なる電力節約動作電圧を決定することと、
前記電力節約動作電圧のインジケーションを前記ＩＣに記憶することと、
前記ＩＣの状態を感知することと、
第１の条件下では、前記電力節約動作電圧および前記ＩＣの前記感知された状態に基づいて、前記ＩＣの前記一部分に供給される前記電圧に対して第１のＡＶＳ動作を行うことと、
第２の条件下では、前記ＩＣの前記感知された状態を使用することなく、前記電力節約動作電圧に基づいて、前記ＩＣの前記一部分に供給される前記電圧に対して第２のＡＶＳ動作を行うことと
を備える、方法。
【請求項２９】
電力管理の方法であって、
適応型電圧スケーリング（ＡＶＳ）コントローラを有する集積回路（ＩＣ）を提供するためのステップと、
第１の条件下では、前記ＡＶＳコントローラを使用して、前記ＩＣの一部分に供給される電圧を制御するために、前記ＩＣの少なくとも１つの感知された状態を示す信号を使用する第１のＡＶＳ動作を行うためのステップと、
第２の条件下では、前記ＩＣの前記少なくとも１つの感知された状態を示す前記信号を使用することなく、前記ＩＣの前記一部分に供給される前記電圧を制御するためのステップと
を備える、方法。
【請求項３０】
前記第２の条件下で、前記ＡＶＳコントローラを使用して、前記ＩＣの前記一部分に供給される前記電圧を制御するために第２のＡＶＳ動作を行うためのステップを含む、請求項２９に記載の方法。
【請求項３１】
前記ＩＣに記憶された値に基づいて、前記ＩＣの前記一部分についてのベースライン動作電圧を設定するためのステップを含み、ここにおいて、前記第１のＡＶＳ動作は、前記ＩＣの前記少なくとも１つの感知された状態を示す前記信号に基づいた、前記ベースライン動作電圧の動的な調節である、請求項２９に記載の方法。
【請求項３２】
前記第１のＡＶＳ動作は、前記ＩＣの前記少なくとも１つの感知された状態または前記ＩＣの環境を示す前記信号に基づいた、前記ＩＣの前記一部分に供給される前記電圧の動的な調節であり、前記ＩＣの前記少なくとも１つの感知された状態は、前記ＩＣの温度または周波数または電圧を備える、請求項２９に記載の方法。
【請求項３３】
適応型電圧スケーリング（ＡＶＳ）コントローラを有する集積回路（ＩＣ）であって、
第１の条件下では、前記ＡＶＳコントローラを使用して、前記ＩＣの一部分に供給される電圧を制御するために、前記ＩＣの少なくとも１つの感知された状態を示す信号を使用する第１のＡＶＳ動作を行うための手段と、
第２の条件下では、前記ＩＣの前記一部分に供給される前記電圧に対する、前記ＩＣの前記少なくとも１つの感知された状態を示す前記信号を前記第１のＡＶＳ動作の実行を防ぐための手段と
を備える、ＩＣ。
【請求項３４】
集積回路（ＩＣ）であって、
前記ＩＣの一部分に供給される電圧を制御するための手段と、
前記ＩＣの少なくとも１つの状態を感知するための手段と、
前記少なくとも１つの感知された状態を示す出力信号を前記制御するための手段に供給するための手段と
を備え、
前記制御するための手段は、前記制御するための手段が、前記電圧を制御するために前記出力信号を使用するように構成された第１のセッティング、および前記制御するための手段が、前記出力信号を使用することなく前記電圧を制御するように構成された第２のセッティングで動作するように構成される、集積回路。
【請求項３５】
前記制御するための手段は、適応型電圧スケーリング（ＡＶＳ）コントローラを備える、請求項３４に記載の集積回路。
【請求項３６】
方法であって、
公称動作電圧と、集積回路（ＩＣ）の一部分に供給される電圧を制御するように構成された適応型電圧スケーリング（ＡＶＳ）コントローラとを有する前記ＩＣを提供するためのステップと、
前記ＩＣについて、前記公称動作電圧とは異なる電力節約動作電圧を決定するためのステップと、
前記電力節約動作電圧のインジケーションを前記ＩＣに記憶するためのステップと、
前記ＩＣの状態を感知するためのステップと、
第１の条件下では、前記電力節約動作電圧および前記ＩＣの前記感知された状態に基づいて、前記ＩＣの前記一部分に供給される前記電圧に対して第１のＡＶＳ動作を行うためのステップと、
第２の条件下では、前記ＩＣの前記感知された状態を使用することなく、前記電力節約動作電圧に基づいて、前記ＩＣの前記一部分に供給される前記電圧に対して第２のＡＶＳ動作を行うためのステップと、
を備える、方法。
【請求項３７】
命令を記憶した非一時的コンピュータ可読記憶媒体であって、前記命令は、実行されると、第１の条件下では、適応型電圧スケーリング（ＡＶＳ）コントローラを使用して集積回路（ＩＣ）の一部分に供給される電圧を制御するために、前記ＩＣの少なくとも１つの感知された状態を示す信号を使用する第１のＡＶＳ動作を行うことと、第２の条件下では、前記ＩＣの前記少なくとも１つの感知された状態を示す前記信号を使用することなく、前記ＩＣの前記一部分に供給される前記電圧を制御することとを、前記ＩＣの前記ＡＶＳコントローラに行わせる、非一時的コンピュータ可読記憶媒体。
【請求項３８】
前記第１のＡＶＳ動作は、前記ＩＣの前記少なくとも１つの感知された状態を示す前記信号に基づいた、前記ＩＣの前記一部分に供給される前記電圧の動的な調節であり、前記ＩＣの前記少なくとも１つの感知された状態は、前記ＩＣの温度または周波数または電圧を備える、請求項３７に記載の非一時的コンピュータ可読記憶媒体。
【請求項３９】
前記第２の条件下で前記ＩＣの前記一部分に供給される前記電圧は、前記ＩＣの不揮発性メモリに記憶された値に基づいたベースライン動作電圧を備える、請求項３７に記載の非一時的コンピュータ可読記憶媒体。
【請求項４０】
前記ＡＶＳコントローラは、可変電圧ソースから電流を受け取り、前記電流が前記ＩＣに供給される前記電圧を制御するために、前記可変電圧ソースに１つまたは複数の制御信号を送るようにさらに構成される、請求項１５に記載のＩＣ。
【請求項４１】
前記不揮発性メモリに記憶された前記値は、前記ＩＣの前記一部分に供給されるべきベースライン電圧または前記ＩＣの前記一部分が動作するように構成された公称電圧からのオフセットを表す、請求項１６に記載のＩＣ。
【請求項４２】
前記第１のセッティングでは、前記ＡＶＳコントローラは、前記少なくとも１つのセンサからの前記出力信号にしたがって前記不揮発性メモリに記憶された前記値を調節し、前記調節された値にしたがって前記電圧を制御するように構成される、請求項１６に記載のＩＣ。
【請求項４３】
前記ＩＣが動作可能な電力節約電圧を表す値を記憶するように構成された不揮発性メモリを
をさらに備える、請求項１５に記載のＩＣ。
【請求項４４】
前記ＡＶＳコントローラは、
不揮発性メモリから、記憶された値を読み取り、
前記第１のセッティングでは、前記少なくとも１つのセンサからの前記出力信号にしたがって前記記憶された値を調節し、前記調節された値にしたがって前記供給された電圧を制御し、
前記第２のセッティングでのみ、前記記憶された値にしたがって前記供給された電圧を制御する
ようにさらに構成される、請求項１５に記載のＩＣ。
【発明の詳細な説明】
【技術分野】
【０００１】
[0001]  本開示は、適応型電圧スケーリング（ＡＶＳ）動作を行うための方法とこの方法を採用する集積回路とに向けられており、より詳細には、特定の条件下ではＡＶＳ動作を行い、他の条件下ではＡＶＳ動作を行わない方法と、この方法を採用する集積回路とに向けられている。
【背景技術】
【０００２】
[0002]  集積回路（ＩＣ）は、所与の公称電圧のときに特定の速度で動作するように設計される。使用されるマテリアルの変動および／またはそれらが形成される製造プロセスの変動に起因して、同一であることが意図されるＩＣは、公称電圧が供給されるとは異なる速度で動作しうる。個々のデバイスの速度は、製造試験中に決定され得、特定のデバイスの速度に関するインジケーションが不揮発性な方法でＩＣに記憶されうる。例えば、ＩＣの速度に関する情報を、ヒューズビットのようなワンタイムプログラマブルレジスタ（one-time programmable register）に記憶することで知られている。記憶された情報は、特定のＩＣがその定格動作速度で動く（perform）ために必要な実際の電圧を特定しうるか、または、公称動作電圧からのオフセットまたはデルタを特定しうる。
【０００３】
[0003]  所与のＩＣは、このＩＣの一部分が動作する電圧を制御する適応型電圧スケーリング（ＡＶＳ）コントローラを含みうる。ＡＶＳコントローラは、例えば、製造試験中にＩＣに記憶された動作電圧についての情報を読み取り、それに応じてＩＣの動作電圧を制御しうる。ＡＶＳコントローラはまた、電圧を制御するために、ＩＣの状態および／またはその環境についての情報を使用しうる。例えば、特定のＩＣは、そのＩＣの温度が上昇するにつれ、より速く動作しうる。このように、ＡＶＳコントローラは、温度の上昇が検出された場合には、そのＩＣに供給される電圧を低下させ、温度の低下が検出された場合には、電圧を増加させるであろう。例えば、ＩＣの一部分が動作している周波数のような他の動作状態もまた、消費電力に影響を及ぼし得、ＡＶＳコントローラは、これらの状態をモニタリングし、モニタリングされた様々な状態が変化するのに応じて、ＩＣに供給される電圧を制御しうる。
【０００４】
[0004]  従来のＡＶＳコントローラは、ＩＣの一部分に供給される電圧を低下させることで電力節約を提供することができるが、そのような節約は、達成するのに処理電力を必要とする。すなわち、ＩＣ上のプロセッサは、センサ信号を分析し、所望の電圧調節を行わなければならない。このように、消費電力を低下させることはまた、ＩＣまたはＩＣによって制御されるデバイスの性能を低下させうる。したがって、システム性能に対するインパクトが低下したＡＶＳの方法およびシステムを提供することが望ましいであろう。
【発明の概要】
【０００５】
[0005]  例示的な実施形態は電力管理の方法を含み、それは、適応型電圧スケーリング（ＡＶＳ）コントローラを有する集積回路（ＩＣ）を提供することと、第１の条件下では、ＡＶＳコントローラを使用してＩＣの一部分に供給される電圧に対して第１のＡＶＳ動作を行うことと、第２の条件下では、ＩＣの一部分に供給される電圧に対して第１のＡＶＳ動作を行わないこととを備える。
【０００６】
[0006]  別の実施形態は、ＩＣの一部分に供給される電圧を制御するように構成されたＡＶＳコントローラと、ＩＣの少なくとも１つの状態を感知することおよび少なくとも１つの感知された状態を示す出力信号をＡＶＳコントローラに供給することを行うように構成された少なくとも１つのセンサとを備えるＩＣを含む。ＩＣは、第１のセッティングおよび第２のセッティングを有し、ＡＶＳコントローラは、第１のセッティングでは電圧を制御するために出力信号を使用し、第２のセッティングでは出力信号から独立して電圧を制御するように構成される。
【０００７】
[0007]  さらなる実施形態は、公称動作電圧と、ＩＣの一部分に供給される電圧を制御するように構成されたＡＶＳコントローラとを有するＩＣを提供することと、ＩＣについて、公称動作電圧とは異なる電力節約動作電圧を決定することと、電力節約動作電圧のインジケーションをＩＣに記憶することと備える方法を含む。方法はさらに、ＩＣの状態を感知することと、第１の条件下では、電力節約動作電圧およびＩＣの感知された状態に基づいて、ＩＣの一部分に供給される電圧に対して第１のＡＶＳ動作を行うことと、第２の条件下では、ＩＣの感知された状態から独立して電力節約動作電圧に基づいて、ＩＣの一部分に供給される電圧に対して第２のＡＶＳ動作を行うこととを含む。
【０００８】
[0008]  さらに別の実施形態は、ＡＶＳコントローラを有するＩＣを提供するためのステップと、第１の条件下では、ＡＶＳコントローラを使用して、ＩＣの一部分に供給される電圧に対して第１のＡＶＳ動作を行うためのステップと、第２の条件下では、ＩＣの一部分に供給される電圧に対して第１のＡＶＳ動作を行わないためのステップとを含む電力管理の方法を備える。
【０００９】
[0009]  さらに別の実施形態は、ＡＶＳコントローラを有するＩＣを備え、第１の条件下では、ＡＶＳコントローラを使用して、ＩＣの一部分に供給される電圧に対して第１のＡＶＳ動作を行うための手段と、第２の条件下では、ＩＣの一部分に供給される電圧に対する第１のＡＶＳ動作の実行を防ぐための手段とを含む。
【００１０】
[0010]  別の実施形態は、ＩＣの一部分に供給される電圧を制御するための手段と、ＩＣの少なくとも１つの状態を感知するための手段と、少なくとも１つの感知された状態を示す出力信号を、制御するための手段に供給するための手段とを含むＩＣを備える。ＩＣは、第１のセッティングおよび第２のセッティングを有し、制御するための手段は、第１のセッティングでは、電圧を制御するために出力信号を使用するように構成され、制御するための手段は、第２のセッティングでは、出力信号から独立して電圧を制御するように構成される。
【００１１】
[0011]  さらなる実施形態は、公称動作電圧と、ＩＣの一部分に提供される電圧を制御するように構成されたＡＶＳコントローラとを有するＩＣを提供するためのステップと、ＩＣについて、公称動作電圧とは異なる電力節約動作電圧を決定するためのステップと、電力節約動作電圧のインジケーションをＩＣに記憶するためのステップを含む方法を備える。方法はまた、ＩＣの状態を感知するためのステップと、第１の条件下では、電力節約動作電圧およびＩＣの感知された状態に基づいて、ＩＣの一部分に供給される電圧に対して第１のＡＶＳ動作を行うためのステップと、第２の条件下では、ＩＣの感知された状態から独立して電力節約動作電圧に基づいて、ＩＣの一部分に供給される電圧に対して第２のＡＶＳ動作を行うためのステップとを含む。
【００１２】
[0012]  添付の図面は、本発明の実施形態の説明を助けるために提示され、これら実施形態の限定としてではなくその例示のためだけに提供される。
【図面の簡単な説明】
【００１３】
【図１】図１は、本開示の実施形態に係る、集積回路の概略的な例示である。
【図２】図２は、本発明の実施形態に係る、方法を例示するフローチャートである。
【図３】図３は、本発明の実施形態に係る、別の方法を例示するフローチャートである。
【図４】図４は、本開示の実施形態が使用されうる例示的なワイヤレス通信システムの概略図である。
【発明を実施するための形態】
【００１４】
[0017]  本発明の態様が、本発明の特定の実施形態に向けられた以下の説明および関連の図面で開示される。代替の実施形態が、本発明の適用範囲（scope）から逸脱することなく考案されうる。追加的に、本発明の周知の要素は、本発明に関連する細部を曖昧にしないために、詳細には説明されないかまたは省略されるだろう。
【００１５】
[0018]  「例示的」という用語は、本明細書では、「一例、事例、または例示として機能する」という意味で使用される。「例示的」として本明細書で説明される任意の実施形態は、必ずしも、他の実施形態よりも好ましいまたは有利であると解釈されるべきではない。同様に、「本発明の実施形態」という用語は、本発明のすべての実施形態が、説明される特徴、利点、または動作モードを含むこと必要としない。
【００１６】
[0019]  本明細書で使用される専門用語は、特定の実施形態を説明するためのものにすぎず、本発明の実施形態を限定することを意図していない。本明細書で使用される場合、単数形「a」、「an」、および「the」は、別途内容から明らかに示されない限り、複数形も含むことを意図している。「備える」、「備えている」、「含む」、および／または「含んでいる」という用語は、本明細書で使用される場合、述べられる特徴、整数、ステップ、動作、要素、および／または構成要素の存在を特定するが、１つまたは複数の他の特徴、整数、ステップ、動作、要素、構成要素、および／またはそれらのグループの存在または追加を妨げないことはさらに理解されるだろう。
【００１７】
[0020]  さらに、多くの実施形態は、例えば、コンピューティングデバイスの要素によって行われるべき一連のアクションの観点から説明される。本明細書で説明される様々なアクションが特定の回路（例えば、特定用途向け集積回路（ＡＳＩＣ））によって、プログラム命令が１つまたは複数のプロセッサによって実行されていることによって、または、両者の組み合わせによって行われうることは認識されるだろう。追加的に、本明細書で説明されるこれら一連のアクションは、実行を受けて、本明細書で説明される機能を行うことを関連したプロセッサに行わせるコンピュータ命令の対応のセットを格納しているあらゆる形式のコンピュータ可読記憶媒体内で完全に具現化されるものであると考えられうる。このように、本発明の様々な態様は、多数の異なる形式で具現化されることができ、それらはすべて、特許請求の範囲に記載される主題の適用範囲内にあるものと予想されている。加えて、本明細書で説明される実施形態の各々について、任意のそのような実施形態の対応の形式は、例えば、説明されるアクションを行う「ように構成された論理」として、本明細書で説明されうる。
【００１８】
[0021]  図１は、プロセッサ１１４および制御論理１１６が位置する一部分１１２を含むシステムオンシップ（ＳｏＣ）の一部分を備えうる集積回路（ＩＣ）１１０を示す。ＩＣ１１０のための電力管理は、第１の線１２０を介して一部分１１２に電圧を供給する適応型電圧スケーリング（ＡＶＳ）コントローラ１１８によって提供される。ＡＶＳコントローラ１１８は、第２の線１２４を介して可変電圧ソース１２２から電流を受け取り、この電流がＩＣ１１０に供給される電圧を制御するために、第３の線１２６を介して可変電圧ソース１２２に制御信号を送る。ＩＣ１１０はまた、ＩＣ１１０の製造中にプログラミングされうる値であって、ＩＣ１１０が動作しうるより低い電圧または電力節約電圧を表しうる値１３０を記憶する不揮発性メモリ１２８も含む。不揮発性メモリ１２８は、例えば、永久的なまたは半永久的な方法で値１３０が記憶されるＥＰＲＯＭまたはヒューズビットを備えうる。
【００１９】
[0022]  ＩＣ１１０はまた、ＩＣ１１０の少なくとも１つの状態を感知し、ここで、感知された状態には、温度、ＩＣ１１０の一部分１１２の動作電圧、またはＩＣ１１０のプロセッサ１１４の動作周波数のうちの１つまたは複数が含まれうる、感知された状態を示す出力信号を第４の線１３４を介してＡＶＳコントローラ１１８に供給するように構成された少なくとも１つのセンサ１３２を含む。少なくとも１つのセンサ１３２が電圧または動作周波数を感知するように構成されているとき、少なくとも１つのセンサ１３２は、オプションのセンサ線１３６を介して一部分１１２にも接続されうる。温度だけが検出されているときにはセンサ線１３６は必要ない。
【００２０】
[0023]  ＡＶＳコントローラ１１８は、第５の線１３１を介して不揮発性メモリ１２８から、記憶された値１３０を読み取り、この記憶された値１３０を使用して、大抵のまたはすべての動作条件下でＩＣ１１０の一部分１１２に供給すべきベースライン電圧を決定する。記憶された値１３０は、一部分１１２に供給されるべき電圧を表しうるか、または代替的に、一部分１１２が動作するように構成された公称電圧からのオフセットを表しうる。例えば、ＩＣ１１０の一部分１１２は、１．２０ｍＶで動作するよう名目上定格された要素を含みうる。しかしながら、ＩＣ１１０の製造試験中に、一部分１１２の要素が１．２０ｍＶで規定されたものよりも速く動作すること、および、これらの要素が、１．１５ｍＶのときに所望の方法で動作可能であることが決定されている可能性がある。このように、不揮発性メモリ１２８に記憶された値１３０は、所望の動作電圧を示す「１．１５」または公称１．２０ｍＶ動作電圧からのオフセットを示す「−０．０５」のいずれかでありうる。この形式の電圧制御、ここでは、ＡＶＳコントローラ１１８が、ＩＣ１１０に記憶された値に基づいてＩＣ１１０の一部分１１２に供給される電圧を制御する、は、本明細書では、「静的制御」、または、ＡＶＳコントローラ１１８の「第２のセッティング」とも呼ばれうる。
【００２１】
[0024]  記憶された値１３０に基づいてＩＣ１１０の一部分１１２に供給される電圧を制御することに加えて、ＡＶＳコントローラ１１８は、それが、ＩＣ１１０の検出された状態に基づいて、一部分１１２に供給される電圧を動的に調節または制御しうる第１のセッティングを有する。例えば、ＩＣ１１０の温度が上昇するにつれ、所望の速度でプロセッサ１１４を動作させるのに十分な電圧レベルは低くなりうる。したがって、ＡＶＳコントローラ１１８は、少なくとも１つのセンサ１３２からの出力信号が温度の上昇を示すと、一部分１１２に供給される電圧を減少させ、少なくとも１つのセンサ１３２からの出力信号が温度の低下を示すと、一部分１１２に供給される電圧を増加させるように構成されうる。感知された温度の上昇が電圧の増加を必要とする他の状況が有りうるが、ＡＶＳコントローラ１１８は、そのような調節も同様に行うように構成されることができる。一部分１１２で感知される電圧に依存して、および／または、少なくとも１つのセンサ１３２によって感知されたプロセッサ１１４の動作周波数に基づいて、一部分１１２に供給される電圧を変えることも知られている。実際、ＡＶＳコントローラ１１８は、この第１の、すなわち動的な、セッティングで動作するとき、少なくとも１つのセンサ１３２によって感知された記憶された値に基づいて、任意の従来の電圧スケーリングプロセスを行うように構成されうる。
【００２２】
[0025]  従来のＡＶＳコントローラでは、第１のセッティングおよび第２のセッティングが同時に使用される。すなわち、従来のＡＶＳコントローラは、一部分１１２に供給すべき電圧を決定するために、不揮発性メモリ１２８に記憶された値１３０を使用し、次いで、少なくとも１つのセンサ１３２によって感知されるＩＣの状態に基づき、必要に応じて、この値を調節するであろう。記憶された値に基づいて電圧を制御することは、ＩＣ１１０のベースライン動作電圧を下げることである程度の電力節約を提供する。追加の電力節約は、ＩＣ１１０の状態に基づいて電圧を動的に制御することで達成される。しかしながら、感知された状態に基づいて電圧を制御することは、算出を行うために、および／または、感知されている条件に基づいた動作電圧に対する適切な調節を示すデータを取り出すために、処理電力およびいくらかの時間量を必要とする。本発明人は、ＩＣ１１０の動作状態でありうる特定の条件下では、増加した電力節約の利益を、上述された動的な電圧決定プロセスによって引き起こされるゆっくりとしたチップ動作が上回るものと判断している（determine）。したがって、開示される実施形態では、ＡＶＳコントローラ１１８は、以下の２つのセッティング有するように構成される：動的な電圧制御が行われる第１のセッティングと、例えば、少なくとも１つのセンサ１３２によって感知された状態から独立して、不揮発性メモリ１２８に記憶された値１３０に基づいて静的な電圧制御だけが行われる第２のセッティング。ＡＶＳコントローラ１１８は、ＩＣ１１０の条件またはその環境に基づいて、これら２つのセッティングから１つを選択するであろう。
【００２３】
[0026]  ＡＶＳコントローラ１１８は、エネルギー効率の良い方法でＩＣ１１０に動力供給するために、大半の時間を第１のセッティングで動作しうる。しかしながら、エネルギー使用の低下よりも性能が重要であると考えられる条件下では、ＡＶＳコントローラ１１８は、第２のセッティングで動作しうる。高性能が望ましい条件には、ＩＣ１１０がブート動作またはスタートアップシーケンスを実行しているブート条件が含まれる。ブートシーケンス中動作電圧を動的に制御することは、ブートシーケンスを長くする。第２のセッティングを使用して、すなわち、動的な電圧制御なしにＩＣ１１０を動作させることは、ブートプロセスを短くし、ＩＣ１１０を採用するデバイスを、動的な電圧制御が行われた場合よりも早く利用できるようにする。このアプローチは第１のセッティングでの動作よりもわずかに多くのエネルギーを使用するが、ブートシーケンスは典型的に、デバイスの全動作時間のうちのごく一部分しか占めていないため、ブートシーケンス中に第２のセッティングを使用することの全エネルギー使用に対するインパクトはわずかである。
【００２４】
[0027]  ＩＣ１１０は、プロセッサ１１４がその最大容量の所与の割合で、例えば、８０パーセント以上で、動作しているとき、高性能モードで動作すると考えられうる。これは、例えば、プロセッサ１１４が、サウンド付きで映画をレンダリングしていることに加え、バックグラウンド制御機能を行っているときに生じうる。この高性能モードでは、ＡＶＳコントローラ１１８を、第２のセッティングで動作させ、高性能モードが選択されている限り、動的な電圧制御の実行を控えさせることも望まれうる。これは特に、デバイスが、バッテリというよりはむしろ外部電源によって動力供給されているときに当てはまる。高性能モードの存在は、プロセッサ使用度の測定に基づいて、または、ビデオファイルを表示することなど、プロセッサへの負担が大きい既知の動作の選択に基づいて決定され得、ＡＶＳコントローラ１１８は、高性能モードが必要とされるとき第２のセッティングを使用しうる。
【００２５】
[0028]  上述したように、ブート動作中およびＩＣ１１０が高性能モードで稼働していているとき、ＡＶＳコントローラ１１８を第２のモードで動作させることが一般に望まれる。しかしながら、行われている動作に関わりなく、ＡＶＳコントローラ１１８が、静的な、電力節約モードで（第２のセッティングで）、維持されるべきである場合が存在しうる。例えば、ＩＣ１１０が、バッテリによって動力供給されているとき、電力節約が性能よりも望ましい可能性がある。したがって、ＡＶＳコントローラ１１８は、それが、ＩＣ１１０がバッテリによって動力供給されているすべての時間に第１のセッティングを使用して動作するように構成されることが可能である。代替的に、ＩＣ１１０が残りのバッテリ寿命をモニタリングするように構成される場合、ＡＶＳコントローラ１１８は、かなりの量のバッテリ寿命が残っている場合には第１のセッティングで動作し、バッテリが大幅に消耗しており、電力節約が性能よりも望ましくなると第２のセッティングに切り替わりうる。
【００２６】
[0029]  図２は、ＡＶＳコントローラを有するＩＣを提供するブロック２００と、第１の条件下ではＩＣの一部分に供給される電圧に対して第１のＡＶＳ動作を行うブロック２０２と、第２の条件下ではＩＣの一部分に供給される電圧に対して第１のＡＶＳ動作を行わないブロック２０４とを含む実施形態に係る方法を例示する。
【００２７】
[0030]  図３は、公称動作電圧と、ＩＣの一部分に供給される電圧を制御するように構成されたＡＶＳコントローラとを有するＩＣを提供するブロック３００、および、ＩＣについて、公称動作電圧とは異なる電力節約動作電圧を決定するブロック３０２を含む別の実施形態に係る方法を例示する。方法はまた、電力節約動作電圧のインジケーションをＩＣに記憶するブロック３０４と、ＩＣの状態を感知するブロック３０６とを含む。加えて、方法は、第１の条件下では、電力節約動作電圧およびＩＣの感知された状態に基づいて、ＩＣの一部分に供給される電圧に対して第１のＡＶＳ動作を行うブロック３０８と、第２の条件下では、ＩＣの感知された状態から独立して電力節約動作電圧に基づいて、ＩＣの一部分に供給される電圧に対して第２のＡＶＳ動作を行うブロック３１０とを含む。
【００２８】
[0031]  図４は、本開示の１つまたは複数の実施形態が有利に採用されうる例示的なワイヤレス通信システム４００を例示する。例示を目的として、図４は、３つの遠隔ユニット４２０、４３０、４５０と、２つの基地局４４０とを示す。従来のワイヤレス通信システムが、より多くの遠隔ユニットおよび基地局を有しうることは認識されるであろう。遠隔ユニット４２０、４３０、４５０は、集積回路または他の半導体デバイス４２５、４３５、４５５を含み、これらは、以下でさらに説明される本開示の実施形態のうちの１つである。図４は、２つの基地局４４０および遠隔ユニット４２０、４３０、４５０からの順方向リンク信号４８０と、遠隔ユニット４２０、４３０、４５０から２つの基地局４４０への逆方向リンク信号４９０とを示す。
【００２９】
[0032]  図４では、遠隔ユニット４２０はモバイル電話として示され、遠隔ユニット４３０はポータブルコンピュータとして示され、遠隔ユニット４５０は、ワイヤレスローカルループシステムにおける固定ロケーション遠隔ユニットとして示される。例えば、遠隔ユニットは、モバイル電話、ハンドヘルドパーソナル通信システム（ＰＣＳ）ユニット、携帯情報端末（ＰＤＡ）のようなポータブルデータユニット、ナビゲーションデバイス（ＧＰＳ対応デバイスのような）、セットトップボックス、ミュージックプレーヤ、ビデオプレーヤ、エンターテイメントユニット、検針器のような固定ロケーションデータユニット、あるいは、データまたはコンピュータ命令を記憶または取り出すその他のデバイス、あるいはそれらの任意の組み合わせのうちのいずれか１つまたはそれらの組み合わせでありうる。図４は、本開示の教示にしたがって遠隔ユニットを例示しているが、本開示は、これらの例示的に例示されたユニットに限定されない。本開示の実施形態は、試験および特徴付けのためにメモリおよびオンチップ回路を含むアクティブな集積回路を有する任意のデバイスにおいて適切に採用されうる。
【００３０】
[0033]  開示された先のデバイスおよび機能またはそれらの任意の組み合わせは、コンピュータ可読媒体に記憶されるコンピュータファイル（例えば、ＲＴＬ、ＧＤＳＩＩ、ＧＥＲＢＥＲ、等）へと設計および構成されうる。いくつかのまたはすべてのそのようなファイルは、それらのファイルに基づいてデバイスを製造する製造ハンドラに提供されうる。結果として得られる製品は、その後、半導体ダイに切り分けられ、半導体チップへとパッケージ化される半導体ウエハを含む。半導体チップは、上述されたもののような電子デバイスで採用されうる。
【００３１】
[0034]  本明細書で開示された実施形態に関連して説明された方法、シーケンス、および／またはアルゴリズムは、直接ハードウェアにおいて、プロセッサによって実行されるソフトウェアモジュールにおいて、または両者の組み合わせにおいて具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野において知られているその他の形式の記憶媒体内に存在しうる。例示的な記憶媒体は、プロセッサが記憶媒体から情報を読み取り、記憶媒体に情報を書き込むことができるように、プロセッサに結合される。代替的に、記憶媒体は、プロセッサに一体化されうる。
【００３２】
[0035]  したがって、本発明の実施形態は、実現のための方法を具現化するコンピュータ可読媒体を含むことができる。したがって、本発明は、例示された例に限定されるわけではなく、本明細書で説明された機能を行うためのあらゆる手段が本発明の実施形態に含まれる。
【００３３】
[0036]  先の開示は、本発明の実例となる実施形態を示しているが、添付の特許請求の範囲によって定義される本発明の適用範囲から逸脱することなく、様々な変更および修正が本明細書で行われうることに留意されるべきである。本明細書で説明された発明の実施形態にしたがった方法請求項の機能、ステップ、および／またはアクションは、特定の順序で行われる必要はない。さらに、本発明の要素は、単数形で説明および請求されうるが、単数形に限定することが明記されていない限り、複数形が予想される。
以下に本願発明の当初の特許請求の範囲に記載された発明を付記する。
［Ｃ１］
電力管理の方法であって、
適応型電圧スケーリング（ＡＶＳ）コントローラを有する集積回路（ＩＣ）を提供することと、
第１の条件下では、前記ＡＶＳコントローラを使用して、前記ＩＣの一部分に供給される電圧に対して第１のＡＶＳ動作を行うことと、
第２の条件下では、前記ＩＣの前記一部分に供給される前記電圧に対して前記第１のＡＶＳ動作を行わないことと
を備える方法。
［Ｃ２］
前記第１のＡＶＳ動作は、前記ＩＣの少なくとも１つの感知された状態または前記ＩＣの環境に基づいた、前記ＩＣの前記一部分に供給される前記電圧の動的な調節である、Ｃ１に記載の方法。
［Ｃ３］
前記ＩＣの前記少なくとも１つの感知された状態は、前記ＩＣの温度または前記ＩＣの環境の温度を備える、Ｃ２に記載の方法。
［Ｃ４］
前記第１のＡＶＳ動作は、前記ＩＣの少なくとも１つの感知された状態または前記ＩＣの環境に基づいた、前記ＩＣの前記一部分に供給される前記電圧の動的な調節であり、前記ＩＣの前記少なくとも１つの感知された状態は、前記ＩＣの温度または周波数または電圧を備える、Ｃ１に記載の方法。
［Ｃ５］
前記第２の条件下で、前記ＡＶＳコントローラを使用して、前記ＩＣの前記一部分に供給される前記電圧に対して第２のＡＶＳ動作を行うことを含む、Ｃ１に記載の方法。
［Ｃ６］
前記第２のＡＶＳ動作は、前記ＩＣの不揮発性メモリに記憶された値に基づいて、前記ＩＣの前記一部分についてベースライン動作電圧を設定することを備える、Ｃ５に記載の方法。
［Ｃ７］
前記第１のＡＶＳ動作は、前記ＩＣの少なくとも１つの感知された状態に基づいた、前記ＩＣの前記一部分に供給される前記電圧の動的な調節を備え、前記第２のＡＶＳ動作は、前記ＩＣに記憶された値に基づいて、前記ＩＣの前記一部分についてのベースライン動作電圧を設定することを備える、Ｃ１に記載の方法。
［Ｃ８］
前記ＩＣに記憶された値に基づいて、前記ＩＣの前記一部分についてベースライン動作電圧を設定することを含み、ここにおいて、前記第１のＡＶＳ動作は、前記ＩＣの少なくとも１つの感知された状態または前記ＩＣの環境に基づいた、前記ベースライン動作電圧の動的な調節である、Ｃ１に記載の方法。
［Ｃ９］
前記第１の条件は前記ＩＣの動作状態を備える、Ｃ８に記載の方法。
［Ｃ１０］
前記第１の条件は前記ＩＣの電源を備える、Ｃ８に記載の方法。
［Ｃ１１］
前記第２の条件は、前記ＩＣが高性能モードで動作することを備える、Ｃ８に記載の方法。
［Ｃ１２］
前記第１の条件は、前記ＩＣが電力節約モードで動作することを備える、Ｃ８に記載の方法。
［Ｃ１３］
前記第２の条件は、前記ＩＣがブート動作を行うことを備える、Ｃ８に記載の方法。
［Ｃ１４］
前記第２の条件は、前記ＩＣのプロセッサが、前記プロセッサの最大容量の所与の割合よりも高い割合で動作することを備える、Ｃ１に記載の方法。
［Ｃ１５］
集積回路（ＩＣ）であって、
前記ＩＣの一部分に供給される電圧を制御するように構成された適応型電圧スケーリング（ＡＶＳ）コントローラと、
前記ＩＣの少なくとも１つの状態を感知し、前記少なくとも１つの感知された状態を示す出力信号を前記ＡＶＳコントローラに供給するように構成された少なくとも１つのセンサと
を備え、
ここにおいて、前記ＩＣは、第１のセッティングおよび第２のセッティングを有し、前記ＡＶＳコントローラは、前記第１のセッティングでは前記電圧を制御するために前記出力信号を使用するように構成され、前記ＡＶＳコントローラは、前記第２のセッティングでは前記出力信号から独立して前記電圧を制御するように構成される、ＩＣ。
［Ｃ１６］
前記第２のセッティングでは、前記ＡＶＳコントローラは、前記ＩＣの不揮発性メモリに記憶された値に基づいて前記電圧を制御するように構成される、Ｃ１５に記載のＩＣ。
［Ｃ１７］
前記ＩＣの前記少なくとも１つの状態は、前記ＩＣの温度または前記ＩＣの環境である、Ｃ１５に記載のＩＣ。
［Ｃ１８］
前記ＩＣの前記少なくとも１つの状態は、前記ＩＣの温度または周波数または電圧である、Ｃ１５に記載のＩＣ。
［Ｃ１９］
前記ＡＶＳコントローラは、第１の条件下では前記第１のセッティングを選択し、第２の条件下では前記第２のセッティングを選択するように構成される、Ｃ１５に記載のＩＣ。
［Ｃ２０］
前記第１の条件は、前記ＩＣの動作状態を備える、Ｃ１９に記載のＩＣ。
［Ｃ２１］
前記第１の条件は前記ＩＣの電源を備える、Ｃ１９に記載のＩＣ。
［Ｃ２２］
前記第２の条件は、前記ＩＣが高性能モードで動作することを備える、Ｃ１９に記載のＩＣ。
［Ｃ２３］
前記第１の条件は、前記ＩＣが電力節約モードで動作することを備える、Ｃ１９に記載のＩＣ。
［Ｃ２４］
前記第２の条件は、前記ＩＣがブート動作を行うことを備える、Ｃ１９に記載のＩＣ。
［Ｃ２５］
前記第２の条件は、前記ＩＣのプロセッサが、前記プロセッサの最大容量の所与の割合よりも高い割合で動作することを備える、Ｃ１９に記載のＩＣ。
［Ｃ２６］
少なくとも１つの半導体ダイに一体化された、Ｃ１５記載のＩＣ。
［Ｃ２７］
Ｃ１５に記載の集積回路を含む、セットトップボックス、ミュージックプレーヤ、ビデオプレーヤ、エンターテイメントユニット、ナビゲーションデバイス、通信デバイス、携帯情報端末（ＰＤＡ）、固定ロケーションデータユニット、およびコンピュータからなるグループから選択されたデバイス。
［Ｃ２８］
方法であって、
公称動作電圧と、集積回路（ＩＣ）の一部分に供給される電圧を制御するように構成された適応型電圧スケーリング（ＡＶＳ）コントローラとを有する前記ＩＣを提供することと、
前記ＩＣについて、前記公称動作電圧とは異なる電力節約動作電圧を決定することと、
前記電力節約動作電圧のインジケーションを前記ＩＣに記憶することと、
前記ＩＣの状態を感知することと、
第１の条件下では、前記電力節約動作電圧および前記ＩＣの前記感知された状態に基づいて、前記ＩＣの前記一部分に供給される前記電圧に対して第１のＡＶＳ動作を行うことと、
第２の条件下では、前記ＩＣの前記感知された状態から独立して、前記電力節約動作電圧に基づいて、前記ＩＣの前記一部分に供給される前記電圧に対して第２のＡＶＳ動作を行うことと
を備える方法。
［Ｃ２９］
電力管理の方法であって、
適応型電圧スケーリング（ＡＶＳ）コントローラを有する集積回路（ＩＣ）を提供するためのステップと、
第１の条件下では、前記ＡＶＳコントローラを使用して、前記ＩＣの一部分に供給される電圧に対して第１のＡＶＳ動作を行うためのステップと、
第２の条件下では、前記ＩＣの前記一部分に供給される前記電圧に対して前記第１のＡＶＳ動作を行わないためのステップと
を備える方法。
［Ｃ３０］
前記第２の条件下で、前記ＡＶＳコントローラを使用して、前記ＩＣの前記一部分に供給される前記電圧に対して第２のＡＶＳ動作を行うためのステップを含む、Ｃ２９に記載の方法。
［Ｃ３１］
前記ＩＣに記憶された値に基づいて、前記ＩＣの前記一部分についてのベースライン動作電圧を設定するためのステップを含み、ここにおいて、前記第１のＡＶＳ動作は、前記ＩＣの少なくとも１つの感知された状態または前記ＩＣの環境に基づいた、前記ベースライン動作電圧の動的な調節である、Ｃ２９に記載の方法。
［Ｃ３２］
前記第１のＡＶＳ動作は、前記ＩＣの少なくとも１つの感知された状態または前記ＩＣの環境に基づいた、前記ＩＣの前記一部分に供給される前記電圧の動的な調節であり、前記ＩＣの前記少なくとも１つの感知された状態は、前記ＩＣの温度または周波数または電圧を備える、Ｃ２９に記載の方法。
［Ｃ３３］
適応型電圧スケーリング（ＡＶＳ）コントローラを有する集積回路（ＩＣ）であって、
第１の条件下では、前記ＡＶＳコントローラを使用して、前記ＩＣの一部分に供給される電圧に対して第１のＡＶＳ動作を行うための手段と、
第２の条件下では、前記ＩＣの前記一部分に供給される前記電圧に対する前記第１のＡＶＳ動作の実行を防ぐための手段と
を備える、ＩＣ。
［Ｃ３４］
集積回路（ＩＣ）であって、
前記ＩＣの一部分に供給される電圧を制御するための手段と、
前記ＩＣの少なくとも１つの状態を感知するための手段と、
前記少なくとも１つの感知された状態を示す出力信号を前記制御するための手段に供給するための手段と
を備え、
前記ＩＣは、第１のセッティングおよび第２のセッティングを有し、前記制御するための手段は、前記第１のセッティングでは前記電圧を制御するために前記出力信号を使用するように構成され、前記制御するための手段は、前記第２のセッティングでは前記出力信号から独立して、前記電圧を制御するように構成される、集積回路。
［Ｃ３５］
前記制御するための手段は、適応型電圧スケーリング（ＡＶＳ）コントローラを備える、Ｃ３４に記載の集積回路。
［Ｃ３６］
方法であって、
公称動作電圧と、集積回路（ＩＣ）の一部分に供給される電圧を制御するように構成された適応型電圧スケーリング（ＡＶＳ）コントローラを有する前記ＩＣを提供するためのステップと、
前記ＩＣについて、前記公称動作電圧とは異なる電力節約動作電圧を決定するためのステップと、
前記電力節約動作電圧のインジケーションを前記ＩＣに記憶するためのステップと、
前記ＩＣの状態を感知するためのステップと、
第１の条件下では、前記電力節約動作電圧および前記ＩＣの前記感知された状態に基づいて、前記ＩＣの前記一部分に供給される前記電圧に対して第１のＡＶＳ動作を行うためのステップと、
第２の条件下では、前記ＩＣの前記感知された状態から独立して、前記電力節約動作電圧に基づいて、前記ＩＣの前記一部分に供給される前記電圧に対して第２のＡＶＳ動作を行うためのステップと、添付
を備える方法。
［Ｃ３７］
命令を記憶した非一時的コンピュータ可読媒体を備える製品であって、前記命令は、実行されると、第１の条件下では、適応型電圧スケーリング（ＡＶＳ）コントローラを使用して集積回路（ＩＣ）の一部分に供給される電圧に対して第１のＡＶＳ動作を行うことと、第２の条件下では、前記ＩＣの前記一部分に供給される前記電圧に対して前記第１のＡＶＳ動作を行わないこととを、前記ＩＣの前記ＡＶＳコントローラに行わせる、製品。
［Ｃ３８］
前記第１のＡＶＳ動作は、前記ＩＣの少なくとも１つの感知された状態または前記ＩＣの環境に基づいた、前記ＩＣの前記一部分に供給される前記電圧の動的な調節であり、前記ＩＣの前記少なくとも１つの感知された状態は、前記ＩＣの温度または周波数または電圧を備える、Ｃ３７に記載の製品。
［Ｃ３９］
前記第２のＡＶＳ動作は、前記ＩＣの不揮発性メモリに記憶された値に基づいて、前記ＩＣの前記一部分についてベースライン動作電圧を設定することを備える、Ｃ３７に記載の製品。
【図１】
0005956090.tif 000002
【図２】
0005956090.tif 000003
【図３】
0005956090.tif 000004
【図４】
0005956090.tif 000005